(57)【要約】      （修正有）【課題】ユニットを横方向又は縦方向に複数つなぎあわせることにより、大きなサイズの掲示板を効率良く製作すると共に、寒暖による表面材の伸び縮みによって表面材が歪んだり、剥離するのを防止できる掲示板を提供する。【解決手段】芯材の表面側に押しピンが刺し通し可能なピン支持材４を接着し、ピン支持材４の表面側に、多数の押しピン挿入孔５が全域に亘って穿設された磁着材からなる金属製表面材６を接着してなる複数の本体ユニット１Ｕを、横方向又は縦方向に端面どうし突き合わせると共に、端面どうしが突き合わせられる双方の本体ユニット１Ｕ，１Ｕの対向端面間において、両本体ユニット１Ｕ，１Ｕの表面材６，６の対向端部を夫々所要長さ延長し、両延長端部６ａ，６ａを互いに内側へ直角に折り曲げて突き合わせることによって掲示板本体１を形成する。【選択図】図４
0003183783.tif 000002
【実用新案登録請求の範囲】
【請求項１】
芯材の表面側に押しピンが刺し通し可能なピン支持材を接着し、このピン支持材の表面側に、多数の押しピン挿入孔が全域に亘って穿設された磁着材からなる金属製表面材を接着してなる複数の本体ユニットを、横方向又は縦方向に端面どうし突き合わせると共に、端面どうしが突き合わせられる双方の本体ユニットの対向端面間において、両本体ユニットの表面材の対向端部を夫々所要長さ延長し、両延長端部を互いに内側へ直角に折り曲げて突き合わせることによって掲示板本体を形成してなる掲示板。
【考案の詳細な説明】
【技術分野】
【０００１】
本考案は、掲示板に関するもので、被掲示物を固定するのに、押しピン、マグネット片更には粘着テープの使用が可能な掲示板に関する。
【背景技術】
【０００２】
従来より使用されていた掲示板は、掲示クロスやビニールレザー、コルク板や不織布等からなる表面材上に被掲示物を押しピンにより止め付けるようにした掲示板であるか、または表面材に鋼板を使用して、この表面材上に被掲示物をマグネット片で押さえて固定するようにした掲示板であって、押しピン専用またはマグネット専用の掲示板であるため、押しピンを使用する場合は押しピン専用の掲示板を使用し、マグネットを使用する場合はマグネット専用の掲示板を使用しなければならず、また両方使用したい場合は使用することができないという不都合があった。
【０００３】
上記の不都合を解消するために改良されて現在使用されている掲示板は、芯材の表面側に押しピンが刺し通し可能なピン支持材を接着剤によって接着し、このピン支持材の表面に、多数の押しピン挿入孔が全域にわたって穿設された磁着材からなる表面材を接着剤により接着してなるものである。このため、被掲示物をマグネット片で固定したいときは、表面材に張り付けた被掲示物上の所望位置にマグネット片を当て置けば、各マグネット片が、磁着材からなる表面材に磁着して被掲示物を固定することができる。また、押しピンを使用したいときは、多数の押しピン挿入孔が表面材全域に設けてあるから、表面材に張り付けた被掲示物上の所望位置で押しピンを押しピン挿入孔からピン支持材に刺し通すことによって、被掲示物を固定することができる。更にまた、押しピンとマグネット片を併用する時も、上記のような要領で、表面材に張り付けた被掲示物を押しピンとマグネット片とによって適宜に固定することができる。
【０００４】
ところで、上記掲示板にはそのサイズが例えば幅９００ｍｍ、高さ６００ｍｍのもの、幅９００ｍｍ、高さ１２００ｍｍのもの、幅１８００ｍｍ、高さ１２００ｍｍのものなど種々のサイズがあるが、その製作にあたっては、各サイズの掲示板ごとに、所定サイズに夫々寸法取りした芯材とピン支持材と表面材とによって掲示板本体を形成し、その外周に周枠を取り付けることによって掲示板を製作している。
【考案の概要】
【考案が解決しようとする課題】
【０００５】
掲示板の製作にあたって、上記のように、各サイズごとに、所定サイズに寸法取りした芯材とピン支持材と表面材とによって掲示板本体を形成するようにしたのでは、掲示板の生産効率が良くない。そこで本考案にあっては、比較的小さなサイズの掲示板の掲示板本体を本体ユニットとして形成しておいて、この本体ユニットを横方向又は縦方向に複数つなぎ合わせることによって、大きなサイズの掲示板を効率良く製作できるようにした掲示板を提供することを目的とする。本考案の他の目的は、複数の本体ユニットをつなぎ合わせるにあたって、本体ユニットの端面どうしを突き合わせたのでは、各本体ユニットの一部を構成する金属製の表面材が寒暖により伸び縮みして、表面材が歪んだり、ピン支持材からの剥離を生ずることから、そのような歪みや剥離を防止できるようにした掲示板を提供することにある。
【課題を解決するための手段】
【０００６】
上記課題を解決するための手段を、後述する実施形態の参照番号を付して説明すると、請求項１に係る考案の掲示板は、芯材３の表面側に押しピンが刺し通し可能なピン支持材４を接着し、このピン支持材４の表面側に、多数の押しピン挿入孔５が全域に亘って穿設された磁着材からなる金属製表面材６を接着してなる複数の本体ユニット１Ｕを、横方向又は縦方向に端面どうし突き合わせると共に、端面どうしが突き合わせられる双方の本体ユニット１Ｕ，１Ｕの対向端面間において、両本体ユニット１Ｕ，１Ｕの表面材６，６の対向端部を夫々所要長さ延長し、両延長端部６ａ，６ａを互いに内側へ直角に折り曲げて突き合わせることによって掲示板本体１を形成してなることを特徴とする。
【考案の効果】
【０００７】
上記解決手段による考案の効果を、後述する実施形態の参照番号を付して説明すると、請求項１に係る考案によれば、芯材３の表面側に押しピンが刺し通し可能なピン支持材４を接着し、このピン支持材４の表面側に、多数の押しピン挿入孔５が全域に亘って穿設された磁着材からなる金属製表面材６を接着することによって本体ユニット１Ｕを形成し、この本体ユニット１Ｕの複数を横方向又は縦方向に端面どうし突き合わせることによって掲示板本体１を形成するようにしたから、縦横所望のサイズの掲示板を効率良く製作することができる。また、隣り合う両本体ユニット１Ｕ，１Ｕの表面材６，６の対向端部を、所要長さ延長して、その延長端部６ａ，６ａどうしを互いに内側へ直角に折り曲げて突き合わせているから、寒暖による伸び縮みによって表面材６が歪んだり、ピン支持材４から剥離することを阻止できる。即ち、寒暖による伸び縮みは、表面材延長端部６ａ，６ａの折り曲げ突き合わせ部分で吸収されるから、表面材６が歪んだり、ピン支持材４から剥離することがなくなる。
【図面の簡単な説明】
【０００８】
【図１】(a) は本考案に係る掲示板の一実施形態を示す正面図である。
【図２】図１のＡ−Ａ線拡大断面図である。
【図３】図１のＢ−Ｂ線拡大断面図である。
【図４】(a) は図１の矢印Ｃ部分の拡大図、(b) は(a) のＤ−Ｄ線断面図である。
【図５】本考案の他の実施形態を示す正面図である。
【考案を実施するための形態】
【０００９】
以下に本考案の好適な一実施形態を図面に基づいて説明すると、図１に示す掲示板は、２つの本体ユニット１Ｕ、１Ｕを端部どうし横方向につないで、その外周に沿って周枠２を取り付けて形成したものである。
【００１０】
各本体ユニット１Ｕは、芯材３の表面側に、押しピンが刺し通し可能なピン支持材４を接着し、このピン支持材４の表面側に、多数の押しピン挿入孔５・・・が全域にわたって縦横整列状態に穿設された磁着材からなる表面材６を接着することによって形成されるもので、２つの本体ユニット１Ｕ，１Ｕを横方向に端面どうし突き合わせることにより横方向に長い矩形状の掲示板本体１が形成され、そしてこの掲示板本体１の外周に周枠２を取り付けることによって、図１に示すような掲示板が形成される。周枠２は、掲示板本体１の上下辺部に取り付けられる上下横枠２ａ，２ａと、掲示板本体１の左右辺部に取り付けられる左右縦枠２ｂ，２ｂと、上下横枠２ａ，２ａと左右縦枠２ｂ，２ｂとの各コーナー部を接続するコーナーキャップ２ｃとからなる。この図１に示す掲示板の縦横のサイズを参考までに例示すれば、各本体ユニット１Ｕは、幅約９００ｍｍ、高さ約１２００ｍｍであり、従って掲示板は、幅約１８００ｍｍ、高さ約１２００ｍｍである。尚、図２において、Ｋは建物躯体、Ｎは建物躯体Ｋの表面に塗装された化粧壁である。
【００１１】
各本体ユニット１Ｕの芯材３は、ベニヤ板からなるもので、その厚みは、例えば５．５ｍｍとされる。尚、芯材３としては、ベニヤ板以外に、パーティクルボード、発泡スチロール、段ボールまたは繊維板が使用され、これらは特に軽量で、安価に入手できるものである。また、これらのパーティクルボード、発泡スチロール、段ボール、繊維板は、押しピンが刺し通し可能であるから、ピン支持材４が十分に厚く形成されていなくても、ピン支持材４に刺した押しピンを芯材３まで通し入れることができる。
【００１２】
ピン支持材４は、刺し通された押しピンを確実に支持できる軟質合成樹脂製のシート材からなるもので、例えばビニールレザーが使用され、その厚みは、例えば１ｍｍ程度とされる。
【００１３】
表面材６は、厚みが例えば０．５ｍｍの鋼板製のパンチングプレートからなるもので、図１及び図４の(a) ，(b) から分かるように、多数の押しピン挿入孔５が・・・表面材４の全域にわたって縦横同一ピッチで整列状態に穿設されている。各押しピン挿入孔５の直径は例えば１４ｍｍとされ、また押しピン挿入孔５の縦列のピッチは２０ｍｍ、横列のピッチは縦列のピッチと同じ２０ｍｍとされる。押しピン挿入孔５は、図１には表面材６の一部にしか図示していないが、実際には表面材６の全面にわたって穿設されている。この表面材６、即ち鋼板製パンチングプレートの表面には所望の色のカラー塗装を施すことができ、このパンチングプレート６とピン支持材４とのツートンカラーで種々の色の組合せが可能になる。
【００１４】
周枠２は、図１〜図３から分かるように、掲示板本体１の上下辺部に取り付けられる上下横枠２ａ，２ａと、掲示板本体１の左右辺部に取り付けられる左右縦枠２ｂ，２ｂと、これら上下横枠２ａ，２ａと左右縦枠２ｂ，２ｂとの各コーナー部を接続するコーナーキャップ２ｃとによって構成され、上下各横枠２ａ及び左右各縦枠２ｂは、アルミニウム製のもので、各コーナーキャップ２ｃは樹脂製のものである。また、芯材３の裏面側には例えば木製の補強桟８が取り付けられている。
【００１５】
上記のような構成される掲示板を組み立てるには、芯材３の表面にピン支持材４を接着剤により接着し、このピン支持材４の表面に表面材４を接着剤により接着し、また芯材３の裏面側に補強桟８を例えば接着剤で固着することによって、掲示板本体１を形成する。こうして形成した掲示板本体１の周縁部に、上下横枠２ａ，２ａ、左右縦枠２ｂ，２ｂ及びコーナーキャップ２ｃを嵌合して適宜に固着し、それによって図１に示すような掲示板が組み立てられる。そして、この掲示板は、図２に示すように、取付金具９によって建物躯体Ｋの化粧壁Ｎに取り付け固定される。
【００１６】
この掲示板の掲示板本体１を形成するにあたっては、図４の(a) ，(b) に示すように、端面どうしが突き合わせられる２つの本体ユニット１Ｕ，１Ｕの対向端面間では、隣り合う両方の本体ユニット１Ｕ，１Ｕの表面材６，６の対向端部を、所要長さ延長し、例えば本体ユニット１Ｕの厚さｔより少し短い長さに延長し、その延長端部６ａ，６ａどうしを互いに内側へ直角に折り曲げて突き合わせる。尚、図１、図３及び図４の(a) ，(b) において、１０は掲示板本体１の表面側で隣り合う両本体ユニット１Ｕ，１Ｕ間に形成される目地を示す。
【００１７】
上記のように、隣り合う両本体ユニット１Ｕ，１Ｕの表面材６，６の対向端部を、所要長さ延長して、その延長端部６ａ，６ａどうしを互いに内側へ直角に折り曲げて突き合わせているから、寒暖による伸び縮みによって表面材６が歪んだり、ピン支持材４から剥離することを阻止することができる。即ち、寒暖による伸び縮みは、表面材６，６の延長端部６ａ，６ａの折り曲げ突き合わせ部分によって吸収されるから、表面材６が歪んだり、ピン支持材４から剥離することがなくなる。
【００１８】
また、この掲示板の掲示板本体１では、パンチングプレートである鋼板製の表面材６が ピン支持材４に接着剤によってしっかり接着されているから、表面材６が凸凹状になることを防止することができる。
【００１９】
この掲示板の使用において、被掲示物をマグネット片で固定したいときは、掲示板本体１の表面材６に被掲示物を当接させて、その上の所望位置にマグネット片を当て置けば、各マグネット片が、磁着体である表面材６に磁着して被掲示物を固定することができる。また、押しピンを使用したいときは、多数の押しピン挿入孔５・・・が表面材６の全域に穿設されているから、表面材６に当接させた被掲示物上の所望位置で押しピンを、一つの押しピン挿入孔５からピン支持材４に刺し通すことによって、被掲示物を固定することができる。また、押しピンとマグネット片を併用するときも、上記のような要領で、表面材６上の被掲示物を押しピンとマグネット片とによって適宜に固定させることができる。
【００２０】
そして、この掲示板では、表面材６に多数の押しピン挿入孔５が縦横整列状態に穿設されているから、この表面材６上に例えば四角形の被掲示物を当接するときには、その被掲示物の一つ横辺を横列の押しピン挿入孔５・・・に合わせると共に、一つの縦辺を縦列の押しピン挿入孔５・・・に合わせることによって、その被掲示物を表面材６上に縦横真っ直ぐに貼り付けることができる。
【００２１】
また、表面材６には、マグネット片及び押しピンの他に、セロテープ（登録商標）又はこれに類似する粘着テープによって被掲示物を貼り付けることができる。
【００２２】
図５は、３つの本体ユニット１Ｕ，１Ｕ，１Ｕを横方向につないで形成した掲示板本体１を有する掲示板の実施形態を示したもので、各本体ユニット１Ｕ及び隣り合う本体ユニット１Ｕ，１Ｕの接合部の構造については、２つの本体ユニット１Ｕ，１Ｕからなる掲示板本体１を示す図４の(a) ，(b) の構造と全く同じであるため、その説明を省略する。尚、この図５に示す３つの本体ユニット１Ｕ，１Ｕ，１Ｕのうち、右端の本体ユニット１Ｕは、その幅が他の本体ユニット１Ｕの幅の約２／３に形成されているが、他の本体ユニット１Ｕの幅と同じ幅に形成する場合もある。
【００２３】
以上は、２つの本体ユニット１Ｕ及び３つの本体ユニット１Ｕを夫々横方向につないで掲示板本体１を形成する掲示板について説明したが、３つ以上の複数の本体ユニット１Ｕを横方向につないで掲示板本体１を形成できるし、また図示は省略するが、所要数の本体ユニット１Ｕを縦方向につないで掲示板本体１を形成することもできる。
【符号の説明】
【００２４】
１            掲示板本体
２            周枠
３            芯材
４            ピン支持材
５            押しピン挿入孔
６            表面材
６ａ          表面材の延長端部
１Ｕ          本体ユニット
１          掲示板本体
【図１】
0003183783.tif 000003
【図２】
0003183783.tif 000004
【図３】
0003183783.tif 000005
【図４】
0003183783.tif 000006
【図５】
0003183783.tif 000007